(57)【特許請求の範囲】
【請求項１】
電動圧縮機内に取り付けられる保護装置であって、前記保護装置は、
絶縁性材からなるハウジングと、
前記ハウジングに取り付けられ、内部に熱応動スイッチを含むプロテクタと、
前記電動圧縮機に設けられた気密端子に電気的に接続される第１の接続部と前記プロテクタに電気的に接続される第２の接続部を有する接続端子とを有し、
前記ハウジングには前記接続端子の取付位置を可変することが可能な取付位置可変部が設けられ、前記接続端子には前記取付位置可変部に係合する係合部が設けられる、保護装置。
【請求項２】
前記取付位置可変部は、前記ハウジングに形成された複数の溝を含み、前記係合部は前記複数の溝のいずれかひとつに挿入可能な突起部を含む請求項１に記載の保護装置。
【請求項３】
前記取付位置可変部の前記複数の溝は、前記ハウジングの外周壁部にほぼ等間隔で形成されている請求項２に記載の保護装置。
【請求項４】
前記ハウジングは、その一部に円筒状の面を含み、前記円筒状の面に前記複数の溝が形成され、かつ前記複数の溝に対して水平方向に延在する水平溝が形成され、前記接続端子の第２の接続部が前記水平溝を通過する、請求項１ないし３いずれかに記載の保護装置。
【請求項５】
前記接続端子が前記取付位置可変部に取付けられる位置に応じて前記ハウジングの取付位置が可変される請求項１ないし４いずれかに記載の保護装置。
【請求項６】
前記接続端子の係合部が前記ハウジングに形成された前記複数の溝の選択された１つと係合するとき、前記ハウジングは前記電動圧縮機内の選択された位置に配される請求項２ないし５いずれかに記載の保護装置。
【請求項７】
前記接続端子の係合部が前記円筒状の面に形成された溝の１つと係合するとき、前記ハウジングは前記電動圧縮機の選択された取付角度に配される請求項４に記載の保護装置。
【請求項８】
前記接続端子の第１の接続部は、前記気密端子のピンに固定されたタブ端子と接続される請求項１ないし７いずれかに記載の保護装置。
【請求項９】
前記接続端子の第２の接続部は、ヒューズ素子を介して前記プロテクタに電気的に接続される請求項１ないし８いずれかに記載の保護装置。
【請求項１０】
前記ヒューズ素子は、絶縁樹脂部と該絶縁樹脂部内に固定された金属部とを含み、前記絶縁樹脂部が前記ハウジングに形成されたスペース内に固定される請求項９に記載の保護装置。
【請求項１１】
前記プロテクタは、前記熱応動スイッチを収容する金属製容器と、第１および第２の端子部とを有し、前記金属製容器は前記熱応動スイッチの第１のスイッチ端子に電気的に接続されて前記第１の端子部を提供し、前記第２の端子部は前記熱応動スイッチの第２のスイッチ端子に電気的に接続されかつ前記金属製容器と絶縁され、前記第２の端子部が前記接続端子の第２の接続部に電気的に接続される、請求項１ないし１０いずれかに記載の保護装置。
【請求項１２】
前記保護装置は、電動機巻線に電気的に接続される第２の接続端子を含み、前記第２の接続端子は前記ハウジングに固定される固定部と、前記プロテクタの第１の端子部に溶接される溶接部とを有する請求項１１に記載の保護装置。
【請求項１３】
前記ハウジングは、前記プロテクタの一端側の環状部を収容するための開口と、前記プロテクタの他端側を支持可能な支持部とを有し、さらに前記ヒューズ素子を収容するスペースを形成する円筒状の外壁に前記取付位置可変部が形成される、請求項１ないし１２いずれかに記載の保護装置。
【請求項１４】
前記電動圧縮機は、密閉ハウジングと、該密閉ハウジング内に電動モータ及び圧縮機を備え、外部電力供給用の前記気密端子が前記密閉ハウジングの内壁から複数突出され、前記接続端子の第１の接続部が前記気密端子のコモン端子に着脱可能に嵌合される請求項１ないし１３いずれかに記載の保護装置。
【請求項１５】
前記プロテクタは、金属製ハウジング内に熱応動スイッチと、該熱応動スイッチに直列に接続されたヒューズ素子とを収容する請求項１ないし３いずれかに記載の保護装置。
【発明の詳細な説明】
【０００１】
【発明の属する技術分野】
本発明は、密閉型電動圧縮機用プロテクタに関し、特に密閉型電動圧縮機内部に取り付けられるクラスターブロックタイプの内部保護装置に関する。
【０００２】
【従来の技術】
密閉型電動圧縮機において過負荷運転時や冷媒ガス漏れ運転時等の異常状態が発生されたとき、モータへ流れる過電流や雰囲気温度を検知し電動圧縮機を保護するための内部保護装置が用いられている。内部保護装置は、過電流や雰囲気の異常温度を感知するバイメタルスイッチを含み、電動圧縮機の異常事態を感知すると、バイメタルスイッチの接点を開いて回路を遮断し、モータ等を焼損等から保護する。
【０００３】
電動圧縮機には、モータの巻線と外部電力供給源との接続を行うための気密端子あるいはフューサイトピン（Ｃ：コモン端子、Ｍ：主巻線端子、Ｓ：補助巻線端子）が設けられ、内部保護装置は電動圧縮機内においてフューサイトピンのＣピンに接続される。
【０００４】
また、バイメタルスイッチによる保護とは別に、バイメタルスイッチの接点溶着やモータ巻線の短絡時に流れる定格電流の数十倍の異常電流を瞬時に遮断するヒューズ機能を備えたＩＢＰＳ素子が設けられる。ＩＢＰＳ素子はバイメタルスイッチに直列に接続され、バイメタルスイッチとともに電動圧縮機内に取り付けられる。
【０００５】
この種の技術として例えば、特開平１０−８９２５４号に密閉形電動圧縮機用プロテクタの取り付け構造が開示されている。プロテクタ１１は、熱応動開閉器１２、リセプタクル１４および接続端子１５を保持する絶縁ホルダー１３を有し、リセプタクル１４を密閉型電動圧縮機１のガラス密閉端子８の導電端子８Ａに接続させている。
【０００６】
【発明が解決しようとする課題】
しかしながら、従来の電動圧縮機用内部保護装置には次のような課題があった。密閉型電動圧縮機において内部保護装置を気密端子（フューサイトピン）に取り付ける位置、サイズあるいは方向は、電動圧縮機メーカの内部仕様によってそれぞれ異なる。このため内部保護装置は、それぞれのメーカ各社からの要求に適合するような設計仕様を持たなければならない。例えば、電動圧縮機のフューサイトピンのコモン端子（Ｃ）、主巻線（Ｍ）および補助巻線（Ｓ）の配置や、巻線の引き回し方向、吐出管の位置等に応じて、内部保護装置を取り付けるためのスペース（空間形状）が異なり、そのようなスペースに合うような構造を備えた内部保護装置をそれぞれ用意しなければならならない。内部保護装置を構成する絶縁樹脂性ハウジングの形状を変更するためにその金型を変更したり、あるいはリセプタクル等の接続金具の形状を変更することは、コストの増加につながり、安価な保護装置を提供することが困難であった。
【０００７】
本発明は、上記従来技術を解決し、密閉型電動圧縮機の仕様に応じてフレキシブルに接続端子の取り付け位置を可変することができる保護装置を提供することを目的とする。
さらに本発明は、安価でかつ信頼性に優れた密閉型電動圧縮機用の保護装置を提供することを目的とする。
【０００８】
【課題を解決するための手段】
本発明に係る内部保護装置は、以下の構成を有する。保護装置は、絶縁性材からなるハウジングと、前記ハウジングに取り付けられ、内部に熱応動スイッチを含むプロテクタと、前記電動圧縮機に設けられた気密端子に電気的に接続される第１の接続部と前記プロテクタに電気的に接続される第２の接続部を有する接続端子とを有し、前記ハウジングには前記接続端子の取付位置を可変可能とする取付位置可変部が設けられ、前記接続端子には前記取付位置可変部に係合する係合部が設けられる。
【０００９】
好ましくは、前記取付位置可変部は、前記ハウジングに形成された複数の溝を含み、前記係合部は前記複数の溝のいずれかひとつに挿入あるいは固定可能な突起部を含む。取付位置可変部の複数の溝は、前記ハウジングの外周壁部にほぼ等間隔で形成されることが望ましい。また好ましくは、ハウジングは、その一部に円筒状の面を含み、前記円筒状の面に複数の溝が形成され、かつ前記複数の溝に対して水平方向に延在する水平溝が形成され、前記接続端子の第２の接続部が前記水平溝内に挿入される。
【００１０】
このような構成により、前記接続端子が前記取付位置可変部に取付けられる位置に応じて前記ハウジングの取付位置が可変され、あるいは、前記接続端子の係合部が前記複数の溝の選択された１つと係合するとき、前記ハウジングは前記電動圧縮機内の選択された位置に配される。好ましくは、前記接続端子の係合部が前記円筒状の面に形成された溝の１つと係合するとき、前記ハウジングは前記電動圧縮機の選択された取付角度に配されるようにしても良い。ハウジングへの接続端子の取付位置を可変とすることで、電動圧縮機内の気密端子の配置、気密端子に接続されるべき保護装置の空間（スペース）あるいはモータ巻線までの配線等の引き回し等に応じて自在に保護装置を取り付けることが可能となる。
【００１１】
さらに好ましくは、前記接続端子の第２の接続部は、ヒューズ素子を介して前記プロテクタに電気的に接続されても良く、ヒューズ素子は、絶縁樹脂部と該絶縁樹脂部内に固定された金属部とを含み、前記絶縁樹脂部が前記ハウジングに形成されたスペース内に固定される。
【００１２】
プロテクタは、好ましくは前記熱応動スイッチを収容する金属製容器と、第１および第２の端子部とを有し、前記金属製容器は前記熱応動スイッチの第１のスイッチ端子に電気的に接続されて前記第１の端子部を提供し、前記第２の端子部は前記熱応動スイッチの第２のスイッチ端子に電気的に接続されかつ前記金属製容器と絶縁されており、前記第２の端子部が前記接続端子の第２の接続部に電気的に接続される。好ましくはプロテクタの前記第１の端子部は第２の接続端子を含み、該第２の接続端子が電動機巻線に電気的に接続され、前記第２の接続端子は前記ハウジングに固定される固定部と、前記プロテクタの第１の端子部に溶接される溶接部とを有する。
【００１３】
好ましくは、ハウジングは、プロテクタの一端側の環状端部を収容するための開口と、前記プロテクタの他端側を支持可能な支持部とを有し、さらに前記ヒューズ素子を収容するスペースを形成する円筒状の外壁に前記取付位置可変部が形成される。また、電動圧縮機は、密閉ハウジングと、該密閉ハウジング内に電動モータ及び圧縮機を備え、外部電力供給用の前記気密端子が前記密閉ハウジングの内壁から複数突出され、前記接続端子の第１の接続部が前記気密端子のコモンに着脱可能に嵌合される。
【００１４】
このように本発明によれば、密閉型電動圧縮機内に用いられる保護装置のハウジングに接続端子を自在な位置に取り付けるための取付位置可変部を設けたので、設計仕様が異なる圧縮機に対してもそれに対応させて保護装置を取り付けることが可能となり、単一の保護装置であってものその適応範囲を大幅に改善することができ、これによって製造コストを低減し安価な保護装置を提供することが可能となる。
【００１５】
【実施の態様】
次に、本発明の実施の態様について図面を参照して説明する。図１は、本実施の形態に係る密閉型電動圧縮機内に取付けられる内部保護装置の全体の構成を示し、図２は図１のＡ−Ａ線断面図を示し、図３および図４はハウジングの構成を示し、図５は接続端子の構成を示す。
【００１６】
本実施の態様に係るクラスター型の内部保護装置１は、ハウジング１０と、ハウジング１０に保持されるプロテクタ２０と、ハウジング１０に取付けられるヒューズ素子３０と、フューサイトピンに接続される接続端子４０、および巻線側の端子に接続されるクイック端子５０とを有する。接続端子４０は、ハウジング１０の複数の取付位置から任意の位置を選択して取り付けることが可能であり、その位置は密閉型電動圧縮機内の保護装置１の取付け環境（巻線への引き出し配線や、保護装置を配置するスペースや向きなど）に応じて選択される。図１(ａ)では、分かり易くするために接続装置４０を３箇所に取り付けた状態を示している。
【００１７】
保護装置１は、後述するように密閉型電動圧縮機内のフューサイトピンに取り付けられ、プロテクタ２０は、モータの過負荷運転時の異常電流や圧縮機内の冷媒ガス漏れ等による異常温度の検出を行い、異常を検出すると回路を遮断する。
【００１８】
プロテクタ２０は、図２に示すようにその内部に熱応動スイッチとしてバイメタルスイッチ７０を含む。バイメタルスイッチ７０はバイメタル素子７１を含み、バイメタル素子７１はその一端を外部端子２３に接続された電極板７２に固定し、電極板７２上に片持ち梁状に固定される。バイメタル素子７１の他端には可動接点７３が設けられ、可動接点７３は、プロテクタ２０の金属容器の内壁に取り付けられた固定接点７４と一定の接圧をもって電気的に接続される。バイメタル素子７１に一定以上の電流が流れバイメタル素子７１が自己発熱し、あるいは周囲温度の上昇によりそれらがバイメタル素子７１のトリップ温度を越えると、可動接点７３が固定接点７４から解離される。
【００１９】
プロテクタ２０の外観は、図９に示すように、円筒状の金属製容器２１と、該金属容器２１の開口面を封止する導電性金属よりなるヘッダー２１ａと、ヘッダー２１ａと外部端子２３とを電気的に絶縁する絶縁性部材２２と、絶縁性部材２２の中央から突出する外部端子２３とを有する。金属製容器２１は、上述したように内壁にスイッチ用端子である固定接点７４と電気的に接続され、該金属容器２１およびヘッダー２１ａがプロテクタ２０の第１の外部端子として機能する。また、電極板７２が、金属製容器２１内において導電性のピン７５と接続され、このピン７５が第２の外部端子２３として機能する。
【００２０】
ハウジング１０は、絶縁性樹脂材からなり、図３に示すように、プロテクタ２０を収容支持するためのスペース１２と、そこに隣接しヒューズ素子３０を収容支持するためのスペース１３とを有する。スペース１２は、ほぼ平坦な基部１２ａと、基部１２ａからほぼ直立に延在する壁部１２ｂと、プロテクタ２０の先端の環状のヘッダー２１ａを挿入する開口１２ｃが形成された壁部１２ｄとによって形成される。基部１２ａには、プロテクタ２０の端部を支持する支持部１２ｅが一体に形成され、支持部１２ｅはプロテクタの外観形状に合わせて楕円状の窪みを有する。スペース１２にプロテクタ２０が取り付けられたとき、プロテクタ２０の上表面の大部分が露出される。これによってプロテクタ２０の周囲温度に対する感度が向上される。
【００２１】
スペース１３は、円筒状の壁部１３ａと、該壁部１３ａに連結された壁部１２ｂと、基部１２ａによって形成される。スペース１３は、上面が開口された半円筒状であり、そこにヒューズ素子３０が収容される。
【００２２】
ハウジング１０の円筒状の壁部１３ａには、接続端子４０の取付位置を可変可能とするための取付位置可変部１１が設けられる（図４参照）。取付位置可変部１１は、壁部１３ａの円周上に等間隔で形成された細長いスリット状の複数の溝１１ａを含む。ここでは、溝１１ａは１１個形成され、これらは壁部１３ａをその円周軸方向に沿ってハウジング底部に向かって貫通する。これら溝１１ａの下方に水平方向に延びる水平溝１１ｂが形成され、接続端子４０の係合部４１が摺動可能に自在に挿入される。
【００２３】
接続端子４０は、銅合金を打ち抜き成形することによって形成され、ハウジング１０の取付位置可変部１１と係合される係合部４１と、フューサイトピン若しくはフューサイトピンに結合したタブ端子に接続されるフューサイトピン接続部４２と、ヒューズ素子３０に接続されるヒューズ接続部４３とを有する（図５参照）。フューサイトピン接続部４２は、端部を折り曲げ平板状のタブ端子を着脱可能に嵌合する嵌合部４２ａを有する。
【００２４】
係合部４１はフューサイトピン接続部４２に連結され、取付位置可変部１１の溝１１ａ内に挿入可能な突起部４１ａと、突起部４１ａから直角方向に延在する延在部４１ｂとを有する。突起部４１ａは、鉛直方向に延び、溝１１ａとほぼ等しい形状の突起を備え、その先端は円筒状となっている。延在部４１ｂは、嵌合部４２ａの幅よりも狭い幅でもってフューサイト接続部４２の下部から水平方向に延在し、該延在部４２ｂは取付位置可変部１１の水平溝１１ｂ内に挿入される。ヒューズ接続部４３は延在部４１ｂに連結され、その表面に溶接用の突起４３ａを含む。
【００２５】
クイック端子５０は、例えば鉄ニッケル合金を打ち抜き成形して構成され、その一端にはハウジング１０と固定される固定部５１が形成され、他端にはモータ巻線側の端子（リセプタクル端子）と接続される端子部５２が形成される（図６参照）。固定部５１の両端には一対の突出部５３が形成され、該一対の突出部
５３は、ハウジング１０の壁部１２ｄに形成された凹部１４に挿入される。
【００２６】
固定部５１の中央には一面が突出した平坦な溶接部５４が形成され、プロテクタ２０がハウジング１０のスペース１２に配されたとき、溶接部５４がプロテクタ２０のヘッダー２１ａの外周面に溶接される。このとき、プロテクタ２０の外部端子２３は壁部１２ｄの開口１２ｃから突出し、ヘッダー２１ａの前面が壁部１２ｄの面に当接され、金属製容器の端部は支持部１２ｅによって支持される。
【００２７】
クイック端子５０の端子部５２には、モータ巻線との電気的な接続を行う引き出し配線が接続される。引き出し配線が内部の圧力等によって移動されると、クイック端子５０には荷重が加えられが、クイック端子５０の中央部を折り曲げ構造とすることにより外圧に対する変形をし難くしている。さらに、固定部５１の突出部５３をハウジングの凹部１４に挿入することで、クイック端子５０に印加された荷重をハウジング１０で受け止めるようにし、この荷重が直接プロテクタ２０に与えられないようにし、クイック端子５０の溶接部５４がプロテクタ２０から容易に剥離しないよう両者の接続を保持している。
【００２８】
図７にヒューズ素子３０を示す。ヒューズ素子３０は、絶縁性樹脂部３１と金属部３２とを有する。絶縁性樹脂部３１は、例えばバイログラス等の熱硬化性樹脂によってほぼ半円筒形状の外形を有し、そのほぼ中央には垂直方向に貫通する貫通孔３１ａが形成され、該貫通孔３１ａは正面においても開口３１ｂを形成する（図７（ｃ）を参照）。
【００２９】
金属部３２は、図８に示すように、絶縁性樹脂部３１内に収容されるヒューズ部３２ａと、プロテクタ２０の外部端子２３に溶接される溶接部３２ｂを有する。ヒューズ部３２ａは、ヒューズとして機能する幅の狭い幅狭金属部３２ｃと、幅狭金属部３２ｃの両端に接続された鉛直方向に延びる金属部３２ｄ、３２ｅを有する。金属部３２ｄからほぼ直角に基部３２ｆが延在し、金属部３２ｅの底部には溶接部３２ｂが形成される。溶接部３２ｂには、細長い突出した部分３２ｇが形成され、突出した部分３２ｇ上にプロテクタ２０の外部端子２３が溶接される。
【００３０】
ヒューズ部３２ａは絶縁性樹脂部３１内にインサートモールド成型によって一体に形成され、開口３１ａ、３１ｂにおいてヒューズ部３２ａの幅狭金属部３２ｃおよび基部３２ｆが露出される。
【００３１】
次に、内部保護装置の各部の接続および組み立てについて説明する。先ず初めに、ヒューズ素子３０をハウジング１０のスペース１３内に挿入する。次に、接続端子４０のヒューズ接続部４３を水平溝１１ｂ内に挿入すると共に係合部４１の突起部４１ａを複数の溝１１ａから選択された溝１１ａ内に挿入し、接続端子４０をハウジング１０の取付位置可変部１１に位置決めする。このとき、接続端子４０の取付位置は、内部保護装置１の密閉型電動圧縮機内における取り付け方向等を考慮する。
【００３２】
接続端子４０のヒューズ接続部４３をヒューズ素子３０の開口３１ｂにおいて金属部３２の基部３２ｆに溶接する。ついで、プロテクタ２０をハウジング１０のスペース１２に取り付ける。プロテクタ２０のヘッダー２１ａが壁部１２ｄの開口１２ｃ内に挿入され、端部が支持部１２ｅ上に配される。このとき、プロテクタ２０の外部端子２３は、ヒューズ素子３０の延在する金属部３２上にあり、外部端子２３が金属部３２の突出した部分３２ｇに溶接される。
【００３３】
クイック端子５０の固定部５１の突出部５３がハウジング１０の頂面に形成された凹部１４内に挿入され、この位置決めされた状態で溶接部５４がプロテクタ２０のヘッダー２１ａの外周面に溶接される。
【００３４】
このようにして図１に示す内部保護装置１が組立てられ、内部保護装置１の接続端子４０は、密閉型電動圧縮機のハウジング内壁に設けられたフューサイトピンのコモン端子Ｃに取り付けられる。図１０に示すフューサイトピンはピン状であるが、これにタブ端子を取付け、接続端子４０の嵌合部４２ａと着脱可能に嵌合させることが望ましい。
【００３５】
図１１は、本実施の形態に係る内部保護装置１を密閉型電動圧縮機内に取り付けた状態を示す図である。電動圧縮機ハウジングの内壁８０にフューサイトピン６０が設けられ、各フューサイトピン６０にはそれぞれタブ端子６１が固定されている。内部保護装置１は、フューサイトピン６０が設けられた位置や、フューサイトピンの主巻線端子（Ｍ）、補助巻線端子（Ｓ）、コモン端子（Ｃ）の方向、あるいはこれら主巻線（Ｍ）および補助巻線（Ｓ）から引き出される配線のスペース等を考慮して取り付けられる。
【００３６】
図１１に示す例では、内部保護装置１の向きを調整し、クイック端子５０の端子部５２を下向きに位置させることで、主巻線端子（Ｍ）、補助巻線端子（Ｓ）およびコモン端子（クイック端子の接続部５２）を下向きに揃えることができ、これによってモータ巻線からの引き回し配線の結線作業を容易にすることができる。さらに、これらの配線を限られたスペース８１を通すことで内部保護装置および配線をコンパクトにまとめることが可能となる。
【００３７】
密閉型電動圧縮機のモータが過負荷運転され、あるいは雰囲気が異常高温になると、プロテクタ２０のバイメタル素子７１が回路を遮断し、モータへの電力供給を停止する。バイメタル素子７１のトリップ温度以下になると、自動復帰し、モータへの電力供給が開始される。
【００３８】
バイメタル素子７１の可動接点７３が固定接点７４に固着する等の短絡により自動復帰することが困難な事態が発生すると、定格電流の何倍の過剰電流が流れ、ヒューズ素子３０の幅狭金属部３２ｃが瞬時に溶断され、回路が遮断される。
【００３９】
本実施の形態では、ハウジング１０内にプロテクタ２０とは別個にヒューズ素子３０を設けたが、プロテクタ２０内にヒューズ素子を含めることも可能である。ヒューズ素子は断面積の小さいヒューズ金属部を有し、プロテクタ２０の外部端子２３が金属製容器２１内においてヒューズ金属部の一端に接続され、ヒューズ金属部の他端がバイメタル素子に接続される。この場合、接続端子４０のヒューズ接続部４３は、プロテクタ２０の外部端子２３に直接接続されることになる。このような構成を採用することで、内部保護装置をより小型化することができ、ひいては密閉型電動圧縮機本体を小型化することができる。
【００４０】
以上のように本発明の好ましい実施の形態について詳述したが、本発明は係る特定の実施形態に限定されるものではなく、特許請求の範囲に記載された本発明の要旨の範囲内において、種々の変形・変更が可能である。
【００４１】
本実施の形態に係る内部保護装置は、ヒューズ素子をハウジング内に収容する例に示したが、必ずしもヒューズ素子を用いなくてもよい。この場合、接続端子のヒューズ接続部４３を直接プロテクタ２０の外部端子２３に溶接することができる。また、接続端子やクイック端子等の形状、大きさ、材質等は上記説明のものに限らず、適宜変更することも可能である。
【００４２】
取付位置可変部１１の溝１１ａの個数や形状等も上記説明に限らず、他の形状や個数であっても良い。ハウジングに設けられたスペース形状も、必ずしも上記説明の例に限らず、例えば、ハウジングの上面をカバーで覆うようにしても良く、内部にゴミ等が入らないようにしても良い。
【００４３】
【発明の効果】
以上説明したように本発明によれば、内部保護装置のハウジングに接続端子の取付位置を可変することが可能な取付位置可変部を設けたので、接続端子の取付位置を内部保護装置を取り付ける環境に合わせて変更することができる。従って、それぞれ異なる内部仕様をもつ密閉型電動圧縮機に対して本発明の内部保護装置を適合させることができ、その結果、安価な内部保護装置を提供することが可能となる。
【図面の簡単な説明】
【図１】本実施の形態に係る密閉型電動圧縮機用の内部保護装置を示し、同図（ａ）はその上面図、同図（ｂ）は正面図、同図（ｃ）は側面図である。
【図２】図１（ａ）のＡ−Ａ線断面図である。
【図３】ハウジングの構成を示し、同図（ａ）はその上面図、同図（ｂ）は同図（ａ）のＢ−Ｂ線断面図、同図（ｃ）は同図（ａ）のＣ−Ｃ線断面図である。
【図４】ハウジングの取付位置可変部の構成を示し、同図（ａ）はその正面図、同図（ｂ）は平面図である。
【図５】接続端子の構成を示し、同図（ａ）はその上面図、同図（ｂ）は正面図、同図（ｃ）は側面図である。
【図６】クイック端子の構成を示し、同図（ａ）はその正面図、同図（ｂ）は側面図である。
【図７】ヒューズ素子の構成を示し、同図（ａ）はその上面図、同図（ｂ）は側面図、同図（ｃ）は正面図である。
【図８】ヒューズ素子の金属片の構成を示し、同図（ａ）はその上面図、同図（ｂ）は側面図、同図（ｃ）は正面図である。
【図９】プロテクタの外観構成を示す斜視図である。
【図１０】フューサイトピンの構成を示す斜視図である。
【図１１】密閉型電動圧縮機に保護装置を取り付けた状態を示す図である。
【符号の説明】
１：内部保護装置、
１０：ハウジング、
１１：取付位置可変部、
２０：プロテクタ、
３０：ヒューズ素子、
４０：接続端子、
４１：係合部
５０：クイック端子
【図１】
0004011397.tif 000002
【図２】
0004011397.tif 000003
【図３】
0004011397.tif 000004
【図４】
0004011397.tif 000005
【図５】
0004011397.tif 000006
【図６】
0004011397.tif 000007
【図７】
0004011397.tif 000008
【図８】
0004011397.tif 000009
【図９】
0004011397.tif 000010
【図１０】
0004011397.tif 000011
【図１１】
0004011397.tif 000012